(57)【要約】【課題】プランター台座はＬ字型にすると設置面積が広くなる、園芸ネットはプランターの片側に来るためネットの利用が片面だけになる。【解決手段】  プランター台座を逆Ｔ字型にすると、設置面積が少なくなる、園芸ネットはプランターの中心にくるため、ネットが両面利用可能になる。【選択図】図６
2014068645.tif 000002
【特許請求の範囲】
【請求項１】
緑のカーテンを造る、ゴウヤ、キュウリ、アサガオ、などの植物をプランターの中で育成する、プランターの台座であって。
園芸用ネットがプランターの中心部にくるために、緑のカーテンを両面で育成することが可能である、
プランター両側に２本支柱管を立てる、２本支柱管を自立させるには、底面側に長方形の台座を構成させる、長方形の四隅には４個のエルボ管を置き、チーズ管を逆Ｔ字型にして、チーズ管の両側にエルボ管を接続させて、左側と右側を２本連結管で、エルボ管に接続させて、長方形の台座を構成させる。
２本の支柱管を長方形台座の逆Ｔ字型チーズに差し込む、次に支柱管の上部側には、チーズ管を横Ｔ字型に差し込む、チーズ管の中間に中間連結管を左側と右側に差し込む、中間連結管が左、右、チーズ管と接続したことで、次に別の支柱管の先端部にエルボ管接続して、２本支柱管をチーズ管上部より差し込む２本の支柱管上部のエルボ管に上部連結管を接続することで、逆Ｔ字型支柱台座を構成させた。
プランター本体は、上部４か所にロープを止める金具、４本のアイボルトを設置して、逆Ｔ字型支柱台座の長方形台座の上にプランターをのせて、逆Ｔ字型支柱の上部連結管より２本のロープを下して、ロープの先端部にアイボルトを結び、プランターをブランコ型につる。
上部連結管からのロープは、プランターにむかって扇形に広がっているが、中間連結管の所で２本の扇形になっているロープを中間連結管の所で結び２本のロープは平行線にして、中間連結管より下側のロープは扇形となってプランターをブランコ型につる。
次に園芸用ネットを上部連結管より、下側のプランター向かってネットをはる。
プランター本体に支柱管２本を、両側より支柱管止めバンドで固定して、逆Ｔ字型支柱台座とプランターを一体化したことを特徴とする、ブランコ型支柱のプランター台座。
【発明の詳細な説明】
【技術分野】
【０００１】  本発明は、緑のカーテンを育成するプランターをブランコ型つる、プランター台座。
【背景技術】
【０００２】  従来のプランター台座は、Ｌ字型をした台座でプランターの重さを利用してささえている、園芸ネットをはるにもプランターの背面側にはるため、プランターより台座が広くなり、設置場所広く必要となる、園芸ネットの利用も片面しか利用できない。
【発明の開示】
【発明が解決しよとする課題】
【０００３】  前記のＬ字型プランター台座は、園芸ネットをはる面がＬ字型背面になるためネットの利用が片面しか利用できない、プランター本体より台座の面が広いので、設置面が広くなる問題がある
本発明は、逆Ｔ字型支柱台座のプランター台座で、園芸ネットはる面がプランターの中心部となり、ネットの利用が両面可能である、設置面においても逆Ｔ字型支柱台座はプランター本体より狭く、狭い所でも設置を可能にした、ブランコ型支柱のプランター台座を提案する。
【課題を解決するための手段】
【０００４】  本発明は、上記目的を達成するために。
園芸用ネットがプランターの中心部にくるために、緑のカーテンを両面で育成することが可能である、
プランター両側に２本支柱管を立てる、２本支柱管を自立させるには、底面側に長方形の台座を構成させる、長方形の四隅には４個のエルボ管を置き、チーズ管を逆Ｔ字型にして、チーズ管の両側にエルボ管を接続させて、左側と右側を２本連結管で、エルボ管に接続させて、長方形の台座を構成させる。
２本の支柱管を、長方形台座の逆Ｔ字型チーズに差し込む、次に支柱管の上部側には、チーズ管を横Ｔ字型に差し込む、チーズ管の中間に中間連結管を左側と右側に差し込む、中間連結管が左、右、チーズ管と接続したことで、次に別の支柱管の先端部にエルボ管接続して、２本支柱管をチーズ管上部より差し込む２本の支柱管上部のエルボ管に上部連結管を接続することで、逆Ｔ字型支柱台座を構成させた。
プランター本体は、上部４か所にロープを止める金具、４本のアイボルトを設置して、逆Ｔ字型支柱台座の長方形台座の上にプランターをのせて、逆Ｔ字型支柱の上部連結管より２本のロープを下して、ロープの先端部にアイボルトを結び、プランターをブランコ型につる。
上部連結管からのロープは、プランターにむかって扇形に広がっているが、中間連結管の所で２本の扇形になっているロープを中間連結管の所で結び２本のロープは平行線にして、中間連結管より下側のロープは扇形となってプランターをブランコ型につる。
次に園芸用ネットを上部連結管より、下側のプランター向かってネットをはる。
プランター本体に支柱管２本を、両側より支柱管止めバンドで固定して、逆Ｔ字型支柱台座とプランターを一体化したことを特徴とする、ブランコ型支柱のプランター台座で上記の課題を解決した。
【発明の効果】
【０００５】  上述したように、プランターの中心部に園芸ネットが来るので、両面に緑のカーテンを育成できる、設置面においても狭い場所にも設置可能である。
【図面の簡単な説明】
【０００６】
【図１】  逆Ｔ字型支柱台座平面図
【図２】  逆Ｔ字型支柱台座断面図
【図３】  逆Ｔ字型支柱台座正面図
【図４】  長方形台座底面図
【図５】  プランター取付平面図
【図６】  プランター取付断面図
【図７】  プランター取付正面図
【図８】  園芸ネット取付正面図
【符号の説明】
【０００７】１、  エルボ管
２、  中間連結管
３、  チーズ管
４、  ロープ
５、  ロープ結び目
６、  アイボルト
７、  ナット
８、  園芸ネット
９、  ロープ平行線
１０、ロープ扇形に開く
１１、支柱管
１２、上部連結管
１３、支柱管止めバンド
１４、連結管
１５、プランター
１６、長方形台座
【発明を実施するための形態】
【０００８】  以下、本発明の実施の形態を図１−図８に基づいて説明する。
図１は、逆Ｔ字型支柱台座平面図を示す。
支柱管の上部側にある、上部連結管１２は園芸ネット８を、上側で固定する、上部連結管１２となる。
【０００９】図２は、逆Ｔ字型支柱台座断面図を示す。
底部面は長方形台座１６の左側と右側のチーズ管３に支柱管１１を差し込む、再度支柱管１１を上側のチーズ管３に差し込む、支柱管１１の上側にエルボ管１を差し込む。
【００１０】  図３は、逆Ｔ字型支柱台座正面図を示す。
長方形台座１６の両側のチーズ管３に支柱管１１を差し込む、その上にチーズ管３を差し込む、チーズ管３の横方向に中間連結管２を差し込み、両側の支柱管１１を固定する、チーズ管３の上側にも支柱管１１を差し込み、支柱管１１の上側にエルボ管１を差し込み、、両側のエルボ管１に上部連結管１２を差し込み構成する。
【００１１】  図４は、長方形台座底面図を示す。
逆Ｔ字型にしたチーズ管３の両側にエルボ管１を接続して、左側と右側のエルボ管１に連結管１４で接続して長方形台座１６を構成する。
【００１２】  図５は、プランター取付平面図を示す。
上部連結管１２にロープ４を固定する。
【００１３】  図６は、プランター断面図を示す。
上部連結管１２より下がってきたロープ４は、中間連結管２の所でロープ４を結び目５でロープ４をしばり、ロープ４はプランター１５のアイボルト６に結ばれている、プランター１５のロープ４は扇形に開く１０状態になり、プランター１５をブランコ型につる。
【００１４】  図７は、プランター正面図を示す。
プランター１５はアイボルト６によりロープ４で浮いた状態にするたに、ロープ４は上部連結管１２に固定される、ロープ４をまっすぐにはるためにはアイボルト６のナット７で調整可能となる、ロープ４は中間連結管２の所で、ロープ結び目５でロープ４しばり、上部連結管１２と中間連結管２の間のロープ４は平行線９となる、中間連結管２より下側のロープ４は扇形に開く１０状態でプランター１５をつる、プランター１５は支柱管１１を支柱管止めバンド１３で固定する。
【００１５】図８は、園芸ネット取付平面図を示す。
園芸ネット８は、上部連結管１２より下側のプランター１５に向けて下側にたらし、両側の支柱１１に固定する。
【図１】
2014068645.tif 000003
【図２】
2014068645.tif 000004
【図３】
2014068645.tif 000005
【図４】
2014068645.tif 000006
【図５】
2014068645.tif 000007
【図６】
2014068645.tif 000008
【図７】
2014068645.tif 000009
【図８】
2014068645.tif 000010